【手続補正書】
【提出日】平成17年11月11日(2005.11.11)
【手続補正１】
【補正対象書類名】明細書
【補正対象項目名】特許請求の範囲
【補正方法】変更
【補正の内容】
【特許請求の範囲】
【請求項１】  ユーザのテレビジョン機器上で実装されるインタラクティブなテレビジョン番組ガイドシステムであって、
（ａ）複数の番組リスト項目を含み、視聴することが現在利用可能な複数の番組の複数の番組リスト項目のみを含み、かつ該複数の番組リスト項目のうちの所与の１つを強調表示する強調表示領域を有する番組リストと、（ｂ）テレビジョン番組をさえぎることのないビューを含む映像ウィンドウと、（ｃ）該強調表示された番組リスト項目の詳細な番組説明とを同時に表示する手段と、
該複数の番組リスト項目の間に該強調表示領域を位置決めすることを該ユーザに可能にする手段と、
該強調表示領域が新しい番組リスト項目上に位置決めされる度に、該映像ウィンドウ内の該テレビジョン番組を変えることなく、該詳細な番組説明を自動的に更新することにより、該強調表示された番組リスト項目に対応させる手段と
を含む、インタラクティブなテレビジョン番組ガイドシステム。
【請求項２】  前記映像ウィンドウ内の前記テレビジョン番組と前記強調表示された番組リスト項目とを同期する手段をさらに含む、請求項１に記載のインタラクティブなテレビジョン番組ガイドシステム。
【請求項３】  前記同期する手段は、前記強調表示された番組リスト項目を選択する機会を前記ユーザに提供する手段をさらに含む、請求項２に記載のインタラクティブなテレビジョン番組ガイドシステム。
【請求項４】  前記強調表示された番組リスト項目を選択する機会を前記ユーザに提供する手段は、リモコンの選択キーを用いて該強調表示された番組リスト項目を該ユーザが選択することを可能にする手段をさらに含む、請求項３に記載のインタラクティブなテレビジョン番組ガイドシステム。
【請求項５】  前記同期する手段は、リモコンのチャンネル上下キーを用いて前記映像ウィンドウ内の前記テレビジョン番組と前記強調表示された番組リスト項目とを同期する機会を前記ユーザに提供する手段をさらに含む、請求項３に記載のインタラクティブなテレビジョン番組ガイドシステム。
【請求項６】  前記同期する手段は、前記映像ウィンドウ内に表示されている前記テレビジョン番組のチャンネルを前記ユーザが隣接チャンネルに変え、同時に前記番組リストにおける該チャンネルの番組リスト項目の上に前記強調表示領域を位置決めすることを可能にする手段をさらに含む、請求項３に記載のインタラクティブなテレビジョン番組ガイドシステム。
【請求項７】  前記強調表示領域を位置決めすることを前記ユーザに可能にする手段は、リモコンのカーソルキーを用いて該強調表示領域を位置決めすることを該ユーザに可能にする手段をさらに含む、請求項１に記載のインタラクティブなテレビジョン番組ガイドシステム。
【請求項８】  前記強調表示領域を位置決めすることを前記ユーザに可能にする手段は、リモコンのページ上下キーを用いて該強調表示領域を位置決めすることを該ユーザに可能にする手段をさらに含む、請求項１に記載のインタラクティブなテレビジョン番組ガイドシステム。
【請求項９】  前記強調表示領域を位置決めすることを前記ユーザに可能にする手段は、リモコンの数字キーを用いて該強調表示領域を位置決めすることを該ユーザに可能にする手段をさらに含む、請求項１に記載のインタラクティブなテレビジョン番組ガイドシステム。
【請求項１０】  前記強調表示された番組リスト項目の付加説明を含む情報スクリーンを表示する機会を前記ユーザに提供する手段をさらに含む、請求項１に記載のインタラクティブなテレビジョン番組ガイドシステム。
【請求項１１】  前記同時に表示される番組リスト、映像ウィンドウ、および詳細な番組説明から通常のテレビジョン視聴に戻る機会を前記ユーザに提供する手段をさらに含む、請求項１に記載のインタラクティブなテレビジョン番組ガイドシステム。
【請求項１２】  前記強調表示領域を位置決めする手段は、前記ユーザがチャンネルキーを押す度に該強調表示領域を位置決めする手段をさらに含み、前記システムは、
該ユーザが該複数のチャンネルキーのうちの１つを押す度に前記映像ウィンドウ内に表示される前記テレビジョン番組のチャンネルを隣接チャンネルに変える手段と、
該ユーザが該複数のチャンネルキーのうちの１つを押すことにより、チャンネルを変えたときに、該隣接チャンネルの番組リスト項目が前記番組リスト上に表示されていない場合にはいつでも、該番組リストの一番上に再位置決めされた該強調表示領域を有する該番組リストを該隣接チャンネルの番組リスト項目の上に表示する手段とをさらに含む、請求項１に記載のインタラクティブなテレビジョン番組ガイドシステム。
【請求項１３】  ユーザのテレビジョン機器上で実装されるインタラクティブなテレビジョン番組ガイドシステムを使用する方法であって、
（ａ）複数の番組リスト項目を含み、視聴することが現在利用可能な複数の番組の複数の番組リスト項目のみを含み、かつ該複数の番組リスト項目のうちの所与の１つを強調表示する強調表示領域を有する番組リストと、（ｂ）テレビジョン番組をさえぎることのないビューを含む映像ウィンドウと、（ｃ）該強調表示された番組リスト項目の詳細な番組説明とを同時に表示するステップと、
該複数の番組リスト項目の間に該強調表示領域を位置決めすることを該ユーザに可能にするステップと、
該強調表示領域が新しい番組リスト項目上に位置決めされる度に、該映像ウィンドウ内の該テレビジョン番組を変えることなく、該詳細な番組説明を自動的に更新することにより、該強調表示された番組リスト項目に対応させるステップと、
を含む、方法。
【請求項１４】  前記映像ウィンドウ内の前記テレビジョン番組と前記強調表示された番組リスト項目とを同期するステップをさらに包含する、請求項１３に記載の方法。
【請求項１５】  前記同期するステップは、前記強調表示された番組リスト項目を選択する機会を前記ユーザに提供するステップをさらに包含する、請求項１４に記載の方法。
【請求項１６】  前記強調表示された番組リスト項目を選択する機会を前記ユーザに提供するステップは、リモコンの選択キーを用いて該強調表示された番組リスト項目を前記ユーザが選択することを可能にするステップをさらに包含する、請求項１５に記載の方法。
【請求項１７】  前記同期するステップは、リモコンのチャンネル上下キーを用いて前記映像ウィンドウ内の前記テレビジョン番組と前記強調表示された番組リスト項目とを同期する機会を前記ユーザに提供するステップをさらに包含する、請求項１５に記載の方法。
【請求項１８】  前記同期するステップは、前記映像ウィンドウ内に表示されている前記テレビジョン番組のチャンネルを前記ユーザが隣接チャンネルに変え、同時に前記番組リストにおける該チャンネルの番組リスト項目の上に前記強調表示領域を位置決めすることを可能にするステップをさらに包含する、請求項１５に記載の方法。
【請求項１９】  前記強調表示領域を位置決めすることを前記ユーザに可能にするステップは、リモコンのカーソルキーを用いて該強調表示領域を位置決めすることを該ユーザに可能にするステップをさらに包含する、請求項１３に記載の方法。
【請求項２０】  前記強調表示領域を位置決めすることを前記ユーザに可能にするステップは、リモコンのページ上下キーを用いて該強調表示領域を位置決めすること該ユーザに可能にするステップをさらに包含する、請求項１３に記載の方法。
【請求項２１】  前記強調表示領域を位置決めすることを前記ユーザに可能にするステップは、リモコンの数字キーを用いて該強調表示領域を位置決めすることを該ユーザに可能にするステップをさらに包含する、請求項１３に記載の方法。
【請求項２２】  前記強調表示された番組リスト項目の付加説明を含む情報スクリーンを表示する機会を前記ユーザに提供するステップをさらに包含する、請求項１３に記載の方法。
【請求項２３】  前記同時に表示される番組リスト、映像ウィンドウ、および詳細な番組説明から通常のテレビジョン視聴に戻る機会を前記ユーザに提供するステップをさらに包含する、請求項１３に記載の方法。
【請求項２４】  前記強調表示領域を位置決めするステップは、前記ユーザがチャンネルキーを押す度に該強調表示領域を位置決めするステップをさらに包含し、前記方法は、
該ユーザが該複数のチャンネルキーのうちの１つを押す度に前記映像ウィンドウ内に表示される前記テレビジョン番組のチャンネルを隣接チャンネルに変えるステップと、
該ユーザが該複数のチャンネルキーのうちの１つを押すことにより、チャンネルを変えたときに、該隣接チャンネルの番組リスト項目が前記番組リスト上に表示されていない場合にはいつでも、該番組リストの一番上に再位置決めされた該強調表示領域を有する該番組リストを該隣接チャンネルの番組リスト項目の上に表示するステップとをさらに包含する、請求項１３に記載の方法。